(57)【特許請求の範囲】
【請求項１】
液透過性の表面シートと、液難透過性の裏面シートと、これらのシート間に配された吸収体と、該吸収体と前記表面シートとの間に配された撥水性のバリアシートとを備えた使い捨ておむつであって、
前記バリアシートは、前記吸収体の幅よりも長く、前記吸収体の長手方向の端部を覆って配され、該吸収体の前記端部を囲むポケットを形成するように、該ポケットの領域においては前記吸収体と固定されておらず、該吸収体の周縁より外方において前記裏面シートと固定されており、
前記バリアシートは、その剛性が前記表面シートの剛性より高い使い捨ておむつ。
【請求項２】
前記バリアシートは、前記ポケットの領域において前記表面シートと固定されている請求項１に記載の使い捨ておむつ。
【請求項３】
前記バリアシートは、エンボス加工による凹凸形状のシートである請求項１又は２に記載の使い捨ておむつ。
【請求項４】
前記吸収体上に、嵩高の不織布を備え、
前記嵩高の不織布は、前記バリアシートの前記ポケットの内側から外側に亘って延在している請求項１〜３の何れか１項に記載の使い捨ておむつ。
【発明の詳細な説明】
【技術分野】
【０００１】
本発明は、使い捨ておむつに関する。
【背景技術】
【０００２】
従来、使い捨ておむつに備えられた、尿などの体液を吸収した吸収体は、装着者の動きや姿勢により圧力が加わると、吸収した体液を戻してしまい、この戻した体液により、使い捨ておむつに漏れを発生してしまう場合がある。そこで、使い捨ておむつとして、液難透過性の裏面シートと共に、液難透過性のバリアーシートを備えた使い捨ておむつが知られている。例えば、特許文献１には、液不透過性で且つ蒸気透過性のバリアーシートを、表面シートと裏面シートとの間に介在させ且つおむつの前後各端部から吸収体の前後各端部それぞれの内方に亘ってそれぞれ延設して、バリアーシートにより吸収体の前後各端部を被覆している使い捨ておむつが記載されている。
【０００３】
このような特許文献１に記載の使い捨ておむつは、吸収体の前後各端部が、液難透過性の裏面シートとバリアーシートとにより被覆されているので、尿などの体液を吸収した吸収体の前後各端部からの体液の漏れを防止することができる。しかしながら、特許文献１に記載の使い捨ておむつは、バリアーシートが吸収体の前後端部の表面側で重合されているので、尿などの体液を吸収して吸収体が膨らむことが抑制され、吸収体の吸収能力を最大限発揮することが難しい場合がある。
【先行技術文献】
【特許文献】
【０００４】
【特許文献１】特開平３−２６８７５４号公報
【発明の概要】
【発明が解決しようとする課題】
【０００５】
したがって、本発明の課題は、尿などの体液を吸収した吸収体の前後各端部からの体液の漏れを防止すると共に、吸収体の吸収能力を最大限発揮することができる使い捨ておむつを提供することにある。
【課題を解決するための手段】
【０００６】
本発明は、液透過性の表面シートと、液難透過性の裏面シートと、これらのシート間に配された吸収体と、該吸収体と前記表面シートとの間に配された撥水性のバリアシートとを備えた使い捨ておむつであって、前記バリアシートは、前記吸収体の幅よりも長く、前記吸収体の長手方向の端部を覆って配され、該吸収体の前記端部を囲むポケットを形成するように、該ポケットの領域においては前記吸収体と固定されておらず、該吸収体の周縁より外方において前記裏面シートと固定されている使い捨ておむつを提供するものである。
【発明の効果】
【０００７】
本発明の使い捨ておむつによれば、尿などの体液を吸収した吸収体の前後各端部からの体液の漏れを防止すると共に、吸収体の吸収能力を最大限発揮することができる。
【図面の簡単な説明】
【０００８】
【図１】図１は、本発明の第１実施形態の使い捨ておむつを表面シート側から見た平面図である。
【図２】図２は、図１のＹ１−Ｙ１線断面図である。
【図３】図３は、図１のＸ１−Ｘ１線断面図である。
【図４】図４は、本発明の第２実施形態の使い捨ておむつのＸ１−Ｘ１線断面図である。
【図５】図５は、本発明の第３実施形態の使い捨ておむつのＹ１−Ｙ１線断面図である。
【図６】図６は、本発明の第３実施形態の使い捨ておむつのＸ１−Ｘ１線断面図である。
【発明を実施するための形態】
【０００９】
以下、本発明の使い捨ておむつを、その好ましい第１実施形態に基づき、図１〜図３を参照しながら説明する。
【００１０】
第１実施形態の使い捨ておむつ１Ａ（以下、「おむつ１Ａ」ともいう。）は、図１に示すように、液透過性の表面シート２と、液難透過性の裏面シート３と、これらのシート２，３間に配された吸収体４と、吸収体４と表面シート２との間に配された撥水性のバリアシート５とを備えている。おむつ１Ａは、図１に示すように、中心線ＣＬに対して左右対称に形成されている。従って以下の説明では、左右対称な部分については、主に、右側について説明する。
【００１１】
第１実施形態のおむつ１Ａについて、詳述すると、おむつ１Ａは、図１に示すように、装着時に装着者の腹側に位置する腹側部Ａ、背側に位置する背側部Ｂ、及び腹側部Ａと背側部Ｂとの間に配置される股下部Ｃを有している。おむつ１Ａは、図１に示すように、その長手方向（以下「Ｙ方向」という。Ｙ方向：中心線ＣＬに平行な方向をいう。）の両側縁が、長手方向（Ｙ方向）の中央部において内方に括れた形状を有しており、長手方向（Ｙ方向）の両端部の幅が、長手方向（Ｙ方向）中央部の幅よりも広くなっている。おむつ１Ａは、図１に示すように、おむつ１Ａの内面をなす液透過性の表面シート２と、おむつ１Ａの外面をなす液難透過性の裏面シート３と、これらのシート２，３間に介在された液保持性の吸収体４と、吸収体４と表面シート２との間に配された撥水性のバリアシート５とを有している。吸収体４は、図１に示すように、長手方向（Ｙ方向）に長い長方形状である。表面シート２及び裏面シート３それぞれは、図１に示すように、吸収体４の肌当接面側の全面及び非肌当接面側の全面を覆っており、吸収体４の周縁から延出している。また、表面シート２は、図１に示すように、幅方向（以下「Ｘ方向」という。Ｘ方向：中心線ＣＬに直交する方向をいう。）の長さが裏面シート３よりも短くなっている。
【００１２】
おむつ１Ａには、図１に示すように、長手方向（Ｙ方向）の両側部それぞれに、表面シート２を介してサイドシート６が配されている。サイドシート６は、図１に示すように、表面シート２の肌当接面側であって、長手方向（Ｙ方向）の側部全域に亘って配設固定されている。各サイドシート６の幅方向（Ｘ方向）内方の端部は、図１に示すように、自由端となっており、股下部Ｃにおける自由端近傍には立体ギャザー形成用の弾性部材（不図示）が長手方向（Ｙ方向）に伸長状態で配設固定されており、着用時には、その弾性部材の収縮力により、自由端から所定幅の部分が表面シート２から離間して立体ギャザーを形成する。
【００１３】
おむつ１Ａには、図１に示すように、腹側部Ａ及び背側部Ｂそれぞれにおいて、幅方向（Ｘ方向）外方に延出したサイドシート６と裏面シート３とが接合され、サイドフラップ部１１が形成されている。おむつ１Ａには、図１に示すように、股下部Ｃにおいて、幅方向（Ｘ方向）外方に延出したサイドシート６と裏面シート３とが接合され、レッグフラップ部１２が形成されている。レッグフラップ部１２には、股下部Ｃにおいて、レッグギャザー形成用の弾性部材（不図示）が長手方向（Ｙ方向）に伸長状態で、長手方向（Ｙ方向）に配設固定されており、着用時には、その弾性部材の収縮力により、レッグギャザーが形成される。おむつ１Ａは、図１に示すように、背側部Ｂにおける各サイドフラップ部１１にファスニングテープ７を備え、腹側部Ａの外面に、ファスニングテープ７を止着するターゲットテープ（不図示）を備えている。
【００１４】
撥水性のバリアシート５は、図１〜図３に示すように、吸収体４と表面シート２との間に配されている。バリアシート５は、図１，図３に示すように、吸収体４の幅（Ｘ方向の長さ）よりも長く、背側部Ｂにおける両サイドフラップ部１１，１１間に亘って配され、吸収体４の長手方向（Ｙ方向）の端部を覆って配されている。具体的には、第１実施形態のおむつ１Ａにおいては、バリアシート５は、図１に示すように、Ｘ方向に長い長方形状である。おむつ１Ａのバリアシート５は、図１に示すように、吸収体４の長手方向（Ｙ方向）の腹側部Ａ側の端部４ａ及び吸収体４の長手方向（Ｙ方向）の背側部Ｂ側の端部４ｂの内、装着者が仰向けの姿勢を取った際の加圧により、吸収体４より戻された液がおむつ１Ａの背側端部より漏れるのを防ぐという観点から、吸収体４の長手方向（Ｙ方向）の背側部Ｂ側の端部４ｂを覆って配されている。尚、第１実施形態のおむつ１Ａにおいては、バリアシート５が吸収体４の背側部Ｂ側の端部４ｂにのみ配されているが、吸収体４の腹側部Ａ側の端部４ａ及び吸収体４の背側部Ｂ側の端部４ｂそれぞれに配されていてもよく、吸収体４の腹側部Ａ側の端部４ａにのみ配されていてもよい。
【００１５】
バリアシート５は、図１〜図３に示すように、吸収体４の長手方向（Ｙ方向）の端部を囲むポケット５０を形成するように、ポケット５０の領域においては吸収体４と固定されておらず、吸収体４の周縁４０より外方において裏面シート３と固定されている。具体的には、第１実施形態のおむつ１Ａにおいては、バリアシート５は、図１〜図３に示すように、吸収体４の周縁４０より外方において裏面シート３と固定部８にて固定されている。即ち、バリアシート５は、図１〜図３に示すように、吸収体４の周縁４０と、固定部８におけるおむつ中心ＣＴ側の端縁８ａとの間においては、裏面シート３と固定されておらず、未接着領域を形成しており、吸収体４の背側部Ｂ側の端部４ｂを囲むポケット５０の領域を形成している。ポケット５０の領域においては、バリアシート５は、図２，図３に示すように、吸収体４とは固定されていない。バリアシート５は、図１に示すように、固定部８の端縁８ａから外方の領域においては、固定部８にて、裏面シート３と固定されている。図１に示すように、固定部８の端縁８ａと吸収体４の周縁４０との間隔（Ｗ１）は、５ｍｍ〜２５ｍｍであることが好ましく、５ｍｍ〜１５ｍｍであることが更に好ましい。
【００１６】
図３に示すように、吸収体４の端部４ａ，４ｂを囲むポケット５０を形成する観点から、おむつ１Ａの長手方向（Ｙ方向）の両側部１ａに配された固定部８の端縁８ａ，８ａ間のバリアシート５の長さ（Ｌ２）は、固定部８の端縁８ａ，８ａ間の裏面シート３の長さ（Ｌ１）より長いことが好ましい。具体的には、固定部８の端縁８ａ，８ａ間のバリアシート５の長さ（Ｌ２）と、固定部８の端縁８ａ，８ａ間の裏面シート３の長さ（Ｌ１）の比率（Ｌ２／Ｌ１）は、１０５〜１３５％であることが好ましく１１５〜１３０％であることが更に好ましい。
【００１７】
第１実施形態のおむつ１Ａにおいては、図２，図３に示すように、バリアシート５は、ポケット５０を開口させる観点から、ポケット５０の領域において表面シート２と固定されている。上述したように、バリアシート５は、ポケット５０の領域内において、吸収体４とは固定されていないが、おむつ１Ａにおいては、図２，図３に示すように、ポケット５０の領域内において、吸収体４上に配された表面シート２の非肌当接面側の面（吸収体４側の面）とバリアシート５の肌当接面側の面とが固定されている。
【００１８】
第１実施形態のおむつ１Ａにおいては、図２，図３に示すように、バリアシート５により、ポケット５０を開口させ易くする観点から、バリアシート５の剛性が、表面シート２の剛性より高いシートが用いられている。具体的には、バリアシート５の剛性は、ポケット５０を開口させ易いと共に、装着時に違和感を発生し難い観点から、バルクソフトネス値で０．５〜１．２Ｎが好ましく、０．５〜０．９Ｎがより好ましい。また、表面シート２の剛性は、直接肌に触れるため、柔らかい風合いが好ましいという観点から、バルクソフトネス値で０．１〜０．５Ｎが好ましく、０．１５〜０．４Ｎがより好ましい。バルクソフトネス値は、以下の方法により測定することができる。
【００１９】
〔バルクソフトネス値の測定方法〕
バリアシート５を図１のＸ方向に１５０ｍｍ、Ｙ方向に３０ｍｍの大きさの帯状体として切り出し、この帯状体を用いて直径４５ｍｍ、高さ３０ｍｍの円筒をつくり、この円筒を高さ方向に、テンシロン圧縮試験機にて、圧縮速度１０ｍｍ／分の速度で圧縮し、円筒が座屈するまでの最大圧縮強度を測定する。この測定を５回行い、回数５回の平均値をとって、バルクソフトネス値とする。表面シート２のバルクソフトネス値の測定も、バリアシート５のバルクソフトネス値の測定と同様に、表面シート２を図１のＸ方向に１５０ｍｍ、Ｙ方向に３０ｍｍの大きさの帯状体として切り出して測定する。
【００２０】
第１実施形態の使い捨ておむつ１Ａの形成材料について説明する。
表面シート２、裏面シート３及びサイドシート６としては、それぞれ、通常、使い捨ておむつ等の吸収性物品に用いられるものであれば、特に制限なく用いることができる。例えば、表面シート２としては、親水性且つ液透過性の不織布等を用いることができ、裏面シート３としては、液難透過性又は撥水性の樹脂フィルムや樹脂フィルムと不織布の積層体等を用いることができ、サイドシート６としては、伸縮性のフィルム、不織布、織物またはそれらの積層シート等を用いることができる。また、吸収体４としては、通常、使い捨ておむつ等の吸収性物品に用いられるものであれば、特に制限なく用いることができ、吸収性ポリマーの粒子及び繊維材料から構成された吸収コアをティッシュペーパによって被覆されているものを用いることができる。ファスニングテープ７、ターゲットテープ（不図示）としては、通常、使い捨ておむつ等の吸収性物品に用いられるものであれば、特に制限なく用いることができる。
【００２１】
バリアシート５としては、通常、使い捨ておむつ等の吸収性物品に用いられるものであれば、特に制限なく用いることができ、液難透過性又は撥水性の不織布や樹脂フィルムや樹脂フィルムと不織布の積層体等を用いることができる。具体的には、バリアシート５としては、スパンボンド不織布（Ｓ）−メルトブローン不織布（Ｍ）−スパンボンド不織布（Ｓ）複合不織布（ＳＭＳ）が、安価で高い液難透過性、又は撥水性が発現できるという観点から、好ましく用いられる。
【００２２】
表面シート２、裏面シート３、バリアシート５、サイドシート６の固定には、通常、使い捨ておむつ等の吸収性物品に用いられる接着剤や、ヒートエンボス、超音波エンボス、高周波エンボス等の融着手段が用いられる。
【００２３】
立体ギャザー形成用弾性部材（不図示）、レッグフラップ部１２形成用弾性部材（不図示）としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００２４】
上述した本発明の第１施形態の使い捨ておむつ１Ａを使用した際の作用効果について説明する。
第１実施形態のおむつ１Ａは、図１〜図３に示すように、吸収体４と表面シート２との間に配された撥水性のバリアシート５を備えている。バリアシート５は、図１に示すように、吸収体４の幅（Ｘ方向の長さ）よりも長く、図１〜図３に示すように、吸収体４の長手方向（Ｙ方向）の端部を囲むポケット５０を形成するように、吸収体４の周縁４０より外方において裏面シート３と固定されている。その為、おむつ１Ａの装着中に、尿などの体液を吸収した吸収体４の長手方向（Ｙ方向）前後各端部４ａ，４ｂからの体液の漏れを防止することができる。また、ポケット５０を形成するように、ポケット５０の領域内においては、バリアーシート５と吸収体４とが固定されていないので、尿などの体液を吸収して吸収体４が膨らむことが抑制され難く、吸収体４の吸収能力を最大限発揮することができる。
【００２５】
また、第１実施形態のおむつ１Ａにおいては、図２，図３に示すように、撥水性のバリアシート５と液難透過性の裏面シート３とにより、吸収体４の長手方向（Ｙ方向）の端部が囲まれ、ポケット５０を形成している。即ち、おむつ１Ａにおいては、図２，図３に示すように、吸収体４とバリアシート５との間に空間を形成している。その為、尿などの体液を吸収した吸収体４に装着者の動きや姿勢により圧力が加わり、吸収した体液を戻したとしても、戻した体液を一時的にポケット５０の領域内で保持することができ、その後、加圧が解除されたときは、再び吸収体４が吸い戻すので、体液の漏れを防止することができる。
【００２６】
次に、本発明の第２実施形態の使い捨ておむつについて、図４に基づいて説明する。
第２実施形態の使い捨ておむつ１Ｂ（以下、「おむつ１Ｂ」ともいう）については、第１実施形態の使い捨ておむつ１Ａと異なる点について説明する。特に説明しない点は、第１実施形態の使い捨ておむつ１Ａと同様であり、第１実施形態の使い捨ておむつ１Ａの説明が適宜適用される。
【００２７】
第２実施形態のおむつ１Ｂにおいては、図４に示すように、備えられるバリアシート５が、エンボス加工による凹凸形状のシートである点が、おむつ１Ａと異なる。以下、具体的に説明する。
【００２８】
第２実施形態のおむつ１Ｂにおいては、図４に示すように、バリアシート５は、撥水性の不織布や樹脂フィルムや樹脂フィルムと不織布の積層体等を、多数の凹凸が形成されており且つ互いに噛み合い形状になっている金属製の一組のロール間に挿通させて、スチールマッチエンボス加工を施して、凹凸形状が付与されたシートである。バリアシート５の凹凸は、図４に示すように、各凸部の高さ（ｈ）が、０．８ｍｍ〜４．０ｍｍであることが好ましく、１．０ｍｍ〜２．５ｍｍであることが更に好ましく、各凸部の幅（Ｗ２）が、１ｍｍ〜１０ｍｍであることが好ましく、２ｍｍ〜７ｍｍであることが更に好ましく、各凸部同士の間の間隔（Ｗ３）が、１ｍｍ〜１０ｍｍであることが好ましく、２ｍｍ〜７ｍｍであることが更に好ましい。
【００２９】
第２実施形態の使い捨ておむつ１Ｂの形成材料について説明する。第２実施形態のおむつ１Ｂについては、第１実施形態の使い捨ておむつ１Ａの形成材料と同様であり、第１実施形態の使い捨ておむつ１Ａの説明が適宜適用される。
【００３０】
上述した本発明の第２実施形態の使い捨ておむつ１Ｂを使用した際の作用効果について説明する。
第２実施形態のおむつ１Ｂの効果については、第１実施形態のおむつ１Ａの効果と異なる点について説明する。特に説明しない点は、第１実施形態のおむつ１Ａの効果と同様であり、第１実施形態の展開型の使い捨ておむつ１Ａの効果の説明が適宜適用される。
【００３１】
第２実施形態のおむつ１Ｂにおいては、図４に示すように、バリアシートにが凹凸形状が付与されたシートであるため、装着時においても、ポケット５０領域の空間が潰れ難く、体液の漏れを更に防止することができる。また、装着者の動きや姿勢により吸収体４に加わる圧力を緩和するため吸収した対液を戻す量が低減できる。更に、加工時にかかる引張力に対しても凹凸形状を維持できるので高い加工安定性が発現できる。
【００３２】
次に、本発明の第３実施形態の使い捨ておむつについて、図５，図６に基づいて説明する。
第３実施形態の使い捨ておむつ１Ｃ（以下、「おむつ１Ｃ」ともいう）については、第１実施形態の使い捨ておむつ１Ａと異なる点について説明する。特に説明しない点は、第１実施形態の使い捨ておむつ１Ａと同様であり、第１実施形態の使い捨ておむつ１Ａの説明が適宜適用される。
【００３３】
第３実施形態のおむつ１Ｃにおいては、図５，図６に示すように、吸収体４上に、嵩高の不織布（サブレイヤーシート９）を備えている点が、おむつ１Ａと異なる。以下、具体的に説明する。
【００３４】
第３実施形態のおむつ１Ｃにおいては、図５に示すように、ポケット５０を形成するバリアーシート５と吸収体４との間であって、吸収体４上に、嵩高の不織布（サブレイヤーシート９）を備えている。サブレイヤーシート９は、バリアシート５のポケット５０の内側から外側に亘って延在している。サブレイヤーシート９は、Ｙ方向に長い長方形状のものであり、図５に示すように、バリアシート５のポケット５０の内側から股下部Ｃに至るまで延在していることが好ましく、具体的には、おむつ１Ｃの全長に対し３０〜８０％の長さであることが好ましく、４０〜７０％の長さであることが更に好ましい。サブレイヤーシート９は、Ｘ方向の長さ（Ｌ４）が、図６に示すように、ポケット５０を構成する裏面シート３の固定部８における端縁８ａ同士の長さ（Ｌ１）よりも短く、具体的には、その比率（Ｌ４／Ｌ１）が２０〜５０％であることが好ましく、２５〜４０％であることが更に好ましい。サブレイヤーシート９の厚みは、０．８ｍｍ〜３．５ｍｍであることが好ましく、１ｍｍ〜２．５ｍｍであることが更に好ましい。
【００３５】
第３実施形態の使い捨ておむつ１Ｃの形成材料について説明する。第３実施形態のおむつ１Ｃについては、第１実施形態の使い捨ておむつ１Ａの形成材料と異なる点について説明する。特に説明しない点は、第１実施形態のおむつ１Ａの形成材料と同様であり、第１実施形態の使い捨ておむつ１Ａの説明が適宜適用される。
【００３６】
サブレイヤーシート９としては、親水性不織布や親水性の短繊維集合体からなるものが挙げられる。不織布としては、ポケット５０を形成する観点及び吸収性の観点から、嵩高なもの、具体的には、エアスルー不織布やエアレイド不織布を用いることが好ましい。
【００３７】
上述した本発明の第３実施形態の使い捨ておむつ１Ｃを使用した際の作用効果について説明する。
第３実施形態のおむつ１Ｃの効果については、第１実施形態のおむつ１Ａの効果と異なる点について説明する。特に説明しない点は、第１実施形態のおむつ１Ａの効果と同様であり、第１実施形態の展開型の使い捨ておむつ１Ａの効果の説明が適宜適用される。
【００３８】
第３実施形態のおむつ１Ｃにおいては、図５，図６に示すように、ポケット５０を形成するバリアーシート５と吸収体４との間であって、吸収体４上に、嵩高の不織布（サブレイヤーシート９）を備えているので、ポケット５０の領域が強制的に開口しやすく、体液の漏れを更に防止することができる。また、装着者の動きや姿勢により過度の高い圧力がかかった場合でも、ポケット５０の領域が維持されるため、漏れの防止ができる。また加工が容易で、高い加工安定性が発現できる。
【００３９】
本発明の使い捨ておむつは、上述の第１，第２，第３実施形態の使い捨ておむつに何ら制限されるものではなく、適宜変更可能である。また、上述の第１，第２，第３の使い捨ておむつにおける各構成要件は、本発明の趣旨を損なわない範囲で、適宜組み合わせて実施できる。
【００４０】
例えば、上述の第１，第２，第３実施形態の使い捨ておむつ１Ａ，１Ｂ，１Ｃにおいては、図１に示すように、所謂、展開型の使い捨ておむつであるが、パンツ型の使い捨ておむつであってもよい、
【００４１】
また、使い捨ておむつは、幼児又は成人用の使い捨ておむつ等であってもよい。
【符号の説明】
【００４２】
１Ａ，１Ｂ，１Ｃ  使い捨ておむつ
２  表面シート
３  裏面シート
４  吸収体
４ａ  吸収体の長手方向（Ｙ方向）の腹側部Ａの端部
４ｂ  吸収体の長手方向（Ｙ方向）の背側部Ｂの端部
４０  周縁
５  バリアーシート
５０  ポケット
６  サイドシート
７  ファスニングテープ
８  固定部
８ａ  固定部の端縁
９  サブレイヤーシート
１１  サイドフラップ部
１２  レッグフラップ部
Ａ  腹側部，Ｂ  背側部，Ｃ  股下部
ＣＬ  おむつの長手方向に延びる中心線，ＣＴ  おむつの中心
【図１】
0005498147.tif 000002
【図２】
0005498147.tif 000003
【図３】
0005498147.tif 000004
【図４】
0005498147.tif 000005
【図５】
0005498147.tif 000006
【図６】
0005498147.tif 000007